(57)【要約】      （修正有）【課題】清掃部に使用されるポリウレタン等のフォームにおいては、従来品のように使い捨てタイプではなく、繰り返し使用でき且つ、清掃効率の向上を考察し、捩りブラシを使用した商品においては第一に抜け毛の減少を課題とし、清掃効率の向上、芯線（金属線）による不快感の排除と使用感の向上を図る。【解決手段】清掃部にポリウレタン等のフォームを使用する場合においては、板形状樹脂製フォームを、芯線２において上下より挟み断面が円形になるまで捩った加工品を基材として使用し、糸束１を捩り加工した捩りブラシにおいては、糸束部半面を軟化又は溶解冷却する方法などで抜け毛の減少を実現した。【選択図】図１
2015112466.tif 000002
【特許請求の範囲】
【請求項１】
二本の芯線の間に糸束を挟み、芯線を捩って糸束を放射状に配して成る捩りブラシにおいて、放射線上に開いた糸束の半面及び全面と芯線の全面に抜け毛防止の目的からゴム系樹脂を塗布、余剰量を削除、乾燥、固定した後、平面において中央部より二つ折りし、樹脂製ハンドルの一方端に形成したしたことを特徴とする清掃具。
【請求項２】
二本の芯線の間に糸束を挟み、芯線を捩って糸束を放射状に配してなる捩りブラシにおいて、放射状に開いた糸束の半面までを軟化又は溶解冷却することにより固定した後、平面において中央部より二つ折りし樹脂製ハンドルの一方端に形成したことを特徴とする清掃具。
【請求項３】
請求項２の捩りブラシにおいて、放射状に開いた糸束の半面までを軟化又は溶解冷却することにより固定した後、その面をゴム系樹脂により成形し平面において中央部より二つ折りし樹脂製ハンドルの一方端に形成したことを特徴とする清掃具。
【請求項４】
異色の板形状樹脂製フォームを、芯線において上下より挟み断面が円形になるまで捩った樹脂製フォームを平面において中央部より二つ折りし樹脂製ハンドルの一方端に形成したことを特徴とする清掃具。
【請求項５】
請求項１乃至４において、清掃面の形状が平面において渦巻き状に巻き込んであることを特徴とする清掃具。
【請求項６】
請求項１乃至４において、清掃面の形状が平面においてバネ状に巻き込んであることを特徴とする清掃具。
【請求項７】
請求項１乃至６において、清掃面の形状が口腔内に挿入して口腔内清掃可能な寸法に設定されていることを特徴とする口腔内清掃具。
【請求項８】
二本の芯線の間に糸束を挟み、芯線を捩って糸束を放射状に配して成る捩りブラシにおいて、放射線上に開いた糸束の半面及び全面と芯線の全面に抜け毛防止の目的からゴム系樹脂を塗布する工程と、余剰量を削除後、乾燥、固定する工程を備えた請求項１，５，６、７における清掃面部分の製造方法。
【請求項９】
二本の芯線の間に糸束を挟み、芯線を捩って糸束を放射状に配して成る捩りブラシにおいて、放射線上に開いた糸束の半面を軟化又は溶解する工程と、冷却固定する工程を備えた請求項２，３，５，６、７における清掃面部分の製造方法。
【請求項１０】
異色の板形状樹脂製フォームを、芯線において上下より挟み込む工程と断面が円形になるまで捩る工程を備えた請求項４，５，６、７における清掃面部分の製造方法。
【発明の詳細な説明】
【技術分野】
【０００１】本発明は清掃具及び口腔内清掃具とその製造方法に関する。
【背景技術】
【０００２】現在、樹脂製フォーム例えばポリウレタンフォームを樹脂製のハンドルに差し込み固定した介護用口腔内清掃具や、二つ折りにしたポリウレタンフォームを板状のハンドルに固定した商品が清掃具、介護用における痰除去、口腔内清掃用品として販売されている。【０００３】又  化学繊維糸束を二本の芯線の間に挟み、芯線を捩って糸束を放射状に配して成る捩りブラシを二つ折り又は渦巻き形状に形成した後、専用ハンドル一方端に固定した清掃具、介護用における痰除去、口腔内清掃用品も多数販売されている。。【０００４】
【特許文献１】  実登３０１５１２４号公報
【特許文献２】  特許第４３５８３４１号公報
【特許文献３】  特許第４９６３５５２号公報
【発明の開示】
【発明者が解決しようとする課題】
【０００５】樹脂製フォームであるウレタンフォームにおいては、柔軟であり弾性体で引っ張り強度にも優れ、安全面から考察しても口腔内使用に大きな問題点は見当たらない。しかし、あまりにも弾性に富み柔軟である物性と板形状であることから清掃効率が低く、特に糸束を使用するブラシ類と比較した場合、細部における清掃効率は大きく劣るものであった。又、介護用として喉に詰まった痰等の除去能力や洗浄しての再利用性においては糸束を用いたブラシ類が優れている。
しかし、現在市販される捩り形状のブラシにおいては糸束が抜け落ちる欠点があり、特に芯線を湾曲させた場合、その湾曲部分の芯線が開き糸束の抜け落ちが顕著となり、介護用は元より口腔内、食品関係、精密機械類における使用は不可能とされてきた。
本発明者は、平成２４年１２月１１日特許出願、名称「口腔内清掃具とその製造方法」に記載された開発内容を基に、清掃効率に優れ、糸束を使用した場合においても抜け毛等が現在市販される清掃用ブラシと比較して減少する安全、安心な清掃具の開発を課題とした。
【課題を解決するための手段】
【０００６】二本の芯線の間に糸束を挟み、芯線を捩って製造された捩りブラシにおいて、抜け毛を最小限に抑える方法は本発明において下記した二種類である。
【０００７】第一に、捩りブラシ完成品の糸束半面及び全面と芯線に、ゴム系樹脂を主成分とする熱硬化性樹脂を塗布した後、余剰量を削除する。次に完全に乾燥させ芯線縄目状部に含浸固定後、任意の形状（二つ折り、渦巻き、バネ状、その各三次元形状等）に加工し樹脂製ハンドル一方端面に固定し商品とした。
【０００８】第二に、捩りブラシ完成品の糸束半面を軟化又は溶解成形後、冷却することで芯線部に固定し、任意の形状（二つ折り、渦巻き、バネ状、その各三次元形状等）に加工し樹脂製ハンドル一方端面に固定し商品とした。
【０００９】第三に、異色、異物性（ゴム系樹脂）の板形状樹脂製フォームを、芯線において上下より挟み、断面が円形になるまで捩り、硬化させた後、任意の形状（二つ折り、渦巻き、バネ状、その各三次元形状等）に加工し樹脂製ハンドル一方端面に固定し商品とした。
【発明の効果】
【００１０】捩りブラシにおいては、糸束は直線方向に放射状に開くことを原理として考察した方法が第一と第二の抜け毛防止方法である。つまり、少なくとも半面（１８０度部分）を固定すれば抜け毛は著しく減少し、今までの商品のように、芯線を湾曲させた場合においても有効な方法である。それに加え、一本が抜けることで空間が生じ連鎖して抜け落ちることも減少した。
【００１１】抜け毛対策に関しては第二の方法が優れており、ゴム系樹脂を使用しない点と乾燥工程が必要ないためコスト面に優れ、量産が可能である。第一の方法の優れている点は、ゴム系樹脂を使用するため、糸束にゴムによる薄い膜が生じ、清掃効率向上と使用感に優れている。又、芯線表面においてもゴム系樹脂が含浸固定されることにより、金属による特有の違和感が抑えられる。
【００１２】第三の樹脂製フォームを使用した場合は、現在市販される樹脂製フォーム使用の清掃具と比較し、強度・硬度に優れ，使い捨てタイプではなく、くり返し使用することが可能になった。
【発明を実施するための最良の形態】
【００１３】以下、本発明を実施するための最良の形態を図をもって順に説明する。【００１４】まず、図１において二本の芯線２Ａの間に糸束１を挟み、芯線を捩って製造された捩りブラシの側面図を示した。
糸束１を捩り放射状に開くことで、その糸束は必ず糸束延長部１Ａ（１８０度対象）方向に直進し開き、この原理を利用して抜け毛の少ない捩りブラシを開発した。【００１５】第一の方法を示したものが図２である。捩り芯線２を中心としてなる捩りブラシ糸束１（芯線を含む）の半面又は全面に、柔軟であることを特徴とする熱硬化性樹脂であるゴム質材３を塗布した後、軟化状態である間にシゴキゴム板４を捩り芯線２に通し、矢印方向に移動させることにより糸束１及び捩り芯線２に付着したゴム質材３の余剰部分を掻き落とし完全乾燥させる。【００１６】これにより、ゴム質材３が薄く糸束１を覆い又は隣接する糸束１がゴム質材３により接合する。それに加え、捩り芯線２の表面縄目状空間に入り込むことにより乾燥後、実験においては抜け毛は大きく減少する結果となった。
使用するゴム質材３においては、安全面、強度面から色々なサンプルを使用したが、例えば、哺乳瓶の口元に使用されるシリコン系のゴム材が好適であり、完全乾燥後においては無害であり金属に対する接合力に優れている素材を選択することが重要であった。【００１７】第二の方法を示したものが図３である。捩り芯線２を中心としてなる捩りブラシ糸束１（芯線は溶解液６には接触させない）の半円を、溶解液６の入った水槽５に漬け、毛細管現象を利用して均等に糸束１を軟化又は溶解することにおいて固定する方法である。【００１８】この方法を具体的に説明すると下記に示すようになる。今回の開発及び実験においては口腔内清掃用ブラシとして多く使用されるナイロン６１０素材、芯線には直径０．９ｍｍのＳＵＳ材を使用した。【００１９】ナイロン６１０（糸束直径０．２ｍｍ以下）の糸束においては、１４０℃位の温度において軟化が始まり、１９０℃位の温度において形状に変化が著しく現れる。その温熱源が金属板等であり糸束１と接触している場合においては貼り付き焦げてしまい、非接触又は炎や温風の場合においては高温となる糸束１先端部分のみが球形状となる。この原理を利用し（ヒンジ固定）抜け毛を防止することも可能であるが、糸束１における前後面により温度に差が生じ、商品価値の低下、平均化、量産が現状では難しかった。【００２０】本発明においては糸束１半面部に均等に温度をかける方法として液体を使用した。
人体において無害であり同時に、ナイロン６１０等における軟化及び溶解温度１９０〜２１０℃位に上昇ができ、保温状態でキープできる、食用油（無色に近い物性）を溶解液６とし水槽５に挿入し加熱した後、図３で示すように捩りブラシを漬け糸束１を軟化及び溶解することで、図４で示す半面が糸束固定部１Ｂで固定された抜け毛の心配のないブラシとなった。
今回において食用油を使用したが、容易に液体温度を２００℃前後迄上昇でき且つ、糸束１に対し物性変化を生じさせない液体であれば好適であり、食用油の場合は最終工程として洗浄が必要であるが、その必要のない液体であればより好適と言える。【００２１】次に、第三の方法を示した図が、図５乃至９である。二種類の樹脂製フォーム７及び異質樹脂製フォーム７Ａを芯線２Ａで挟んだ状態を示した正面図が図５であり、その芯線２Ａ一方端を固定し上記捩りブラシの製造と同じく他方を図５矢印が示すように捩った完成品が図６である。
この工程により、樹脂製フォームにおいては密度上昇に伴い、強度及び硬度が上昇し現在まで、使い捨てタイプとされてきた商品が繰り返して使用可能となると同時に、清掃効率も向上しネック部８、ハンドル本体９に取り付け商品になった。
又、使用目的、清掃対象により平面において中央部より二つ折り（図７）平面において渦巻き状に巻き込む（図８）、平面においてバネ状に巻き込む（図９）等の加工が可能となり三次元方向への加工もできる。
この加工は、同様の方法において製造される上記した二種類の捩りブラシにおいても可能であり、その理由は抜け毛が減少したことにある。
このような形状に加工したことにより、芯線が少々開いたとしても、糸束１が接合、軟化及び溶解、ヒンジ原理において固定されていることにより連鎖的な抜け毛は減少した。
将来においては、第二の方法において糸束１を軟化及び溶解固定した面に対し、エラストマー樹脂（熱可塑性樹脂）を成形することにより、新タイプの歯ブラシの製造も考えられる。捩りブラシにおいては従来の歯ブラシと比較して、ブラシ部が螺旋形状であり清掃効率おいては優れており、電動歯ブラシ等使用には、毛量増加が実現できれば好適である。
【図面の簡単な説明】
【００２２】
【図１】二本の芯線の間に糸束を挟み、芯線を捩って製造された捩りブラシの側面図
【図２】捩りブラシ反面にゴム質等樹脂を塗布した後、余剰部を削除する方法を示した正面図
【図３】捩りブラシ半面を糸束軟化温度以上の液体に漬け、溶解固定する方法を示めした正面図
【図４】図３で製造された半面の糸束を溶解固定してなる捩りブラシの形状示した正面図
【図５】樹脂製フォームを芯線で挟んだ状態を示した正面図
【図６】二種類の樹脂製フォームを芯線を中心に捩った状態を示した正面図
【図７】捩り終わった樹脂製フォームを二つ折りし樹脂製ハンドルに取り付けた形状を示した平面図
【図８】捩り終わった樹脂製フォームを平面状に巻き込み、樹脂製ハンドルに取り付けた形状を示した平面図
【図９】捩り終わった機能性フォームをバネ状に巻き込み、樹脂製ハンドルに取り付けた形状を示した平面図
【符号の説明】
【００２３】１．  糸束
１Ａ．糸束延長部
１Ｂ．糸束固定部
２．  捩り芯線
２Ａ．芯線
３．  ゴム質材
４．  シゴキゴム板
５．  水槽
６．  溶解液
７．  樹脂製フォーム
７Ａ．異質樹脂製フォーム
８．  ネック部
９．  ハンドル本体
【図１】
2015112466.tif 000003
【図２】
2015112466.tif 000004
【図３】
2015112466.tif 000005
【図４】
2015112466.tif 000006
【図５】
2015112466.tif 000007
【図６】
2015112466.tif 000008
【図７】
2015112466.tif 000009
【図８】
2015112466.tif 000010
【図９】
2015112466.tif 000011